(57)【要約】本発明は、少なくとも１つの負荷（２，３）に電力を供給のための供給装置（１）であって、燃料電池装置（５）がある主電流ネットワーク（４）と、バッテリ（７）がある副電流ネットワーク（６）とを備え、バッテリ（７）は、最大電圧によって上限が制限され、最小電圧によって下限が制限される動作電圧範囲を有し、バッテリ（７）は、少なくとも１つの負荷（２，３）に通電する動作電流強さ範囲を有する。燃料電池装置（５）のオフロード電圧は、多くともバッテリ（７）の最大電圧に対応し、主電流ネットワーク（４）には、燃料電池装置（５）または燃料電池装置（５）の個々の燃料セルのインピーダンス分光学計測を実行するように設計されたインピーダンス分光学装置（１５）がある。さらに、本発明は、上記供給装置（１）を有した燃料電池車両および供給装置（１）を始動する方法に関する。
2021526709.tif 000002
【特許請求の範囲】
【請求項１】
少なくとも１つの負荷（２，３）に電力を供給する供給装置（１）であって、
燃料電池装置（５）がある主電流ネットワーク（４）と、バッテリ（７）がある副電流ネットワーク（６）とを備え、前記バッテリ（７）は、最大電圧によって上限が制限され、最小電圧によって下限が制限される動作電圧範囲を有し、前記バッテリ（７）は、前記少なくとも１つの負荷（２，３）に通電する動作電流強さ範囲を有し、
前記燃料電池装置（５）のオフロード電圧は、多くとも前記バッテリ（７）の前記最大電圧に対応し、
前記主電流ネットワーク（４）には、前記燃料電池装置（５）または前記燃料電池装置（５）の個々の燃料セルのインピーダンス分光学計測を実行するように設計されたインピーダンス分光学装置（１５）があることを特徴とする供給装置（１）。
【請求項２】
前記インピーダンス分光学装置（１５）は、前記燃料電池装置（５）の電流コネクタ上で異なる周波数の交流を伝えるように設計されることを特徴とする請求項１に記載の供給装置（１）。
【請求項３】
前記インピーダンス分光学装置（１５）は、前記燃料電池装置（５）の電流および／または電圧を計測するように設計されることを特徴とする請求項１または２に記載の供給装置（１）。
【請求項４】
前記主電流ネットワーク（４）は、第１主電流ネットワーク接続部（１１）および第２主電流ネットワーク接続部（１２）を備え、一端で、前記インピーダンス分光学装置（１５）は、前記第１主電流ネットワーク接続部（１１）に接続され、他端で、前記インピーダンス分光学装置（１５）は、前記第２主電流ネットワーク接続部（１２）に接続され、前記副電流ネットワーク（６）は、第１副電流ネットワーク接続部（１２）および第２副電流ネットワーク接続部（１３）を備え、前記第１主電流ネットワーク接続部（１０）および前記第１副電流ネットワーク接続部（１２）は、阻止ダイオード（１４）を介して互いに接続され、前記第２主電流ネットワーク接続部（１１）および前記第２副電流ネットワーク接続部（１３）は、互いに直接接続されることを特徴とする請求項１〜３のいずれかに記載の供給装置（１）。
【請求項５】
前記主電流ネットワーク（４）は、電圧コンバータなしで前記副電流ネットワーク（６）に接続されることを特徴とする請求項１〜４のいずれかに記載の供給装置（１）。
【請求項６】
前記バッテリ（７）は一定の数のバッテリセルを有し、および／または前記燃料電池装置（５）は一定の数の燃料セルを有し、前記バッテリセルの数および／または前記燃料セルの数は、前記燃料電池装置（５）の前記オフロード電圧が前記バッテリ（７）の前記最大電圧に対応するように選択されることを特徴とする請求項１〜５のいずれかに記載の供給装置（１）。
【請求項７】
前記インピーダンス分光学装置（１５）は、クロック様式で動作されることができる電力半導体スイッチとして設計されることを特徴とする請求項１〜６のいずれかに記載の供給装置（１）。
【請求項８】
前記クロック様式で動作されることができる前記電力半導体スイッチは、ＭＯＳＦＥＴであることを特徴とする請求項７に記載の供給装置（１）。
【請求項９】
請求項１〜８のいずれかに従う供給装置（１）を備えた燃料電池車両。
【請求項１０】
請求項１〜８のいずれかに従う供給装置（１）を始動する方法であって、
ａ．インピーダンス分光学装置（１５）によって燃料電池装置（５）の電流コレクタ上で交流を伝えることと、
ｂ．応答信号を取得し、該応答信号を所定の信号値と比較することと、
ｃ１．前記所定の信号値からの前記応答信号の偏差が少なくとも所定値に達したことを検出した場合に、霜始動動作で前記供給装置を始動すること、または、
ｃ２．前記所定の信号値からの前記応答信号の偏差が前記所定値よりも小さくなったことを検出した場合に、通常動作で前記供給装置を始動することと、
を含む、供給装置（１）を始動する方法。
【発明の詳細な説明】
【技術分野】
【０００１】
本発明は、少なくとも１つの負荷に電力を供給する供給装置に関し、該供給装置は、燃料電池装置が存在する主電流ネットワークを備えている。供給装置は、バッテリが存在する副電流ネットワークをさらに備え、バッテリは、最大電圧によって上限が制限され、最小電圧によって下限が制限される動作電圧範囲を有している。さらに、バッテリは、少なくとも１つの負荷に通電する動作電流強さ範囲を有する。本発明は、上記供給装置を有した燃料電池車両および上記供給装置を始動する方法にさらに関する。
【背景技術】
【０００２】
供給装置がモータ車両で用いられるときには、供給装置は、実に様々な天候条件に晒される。ここで、周知の水の凝固点よりも低い温度によって、供給装置における上記燃料電池装置の始動中に、無視できない問題を必然的に伴い得る。例えば、凝固条件では、アノード空間および／またはカソード空間が氷によって閉塞されることがあり、このため、動作媒体が、燃料電池装置のアノードおよび／またはカソードで望ましい程度まで利用可能とならない。しかし、燃料電池装置の入口側および出口側では、霜により、フラップおよびバルブ等の制御構成要素の不正確な機能を生じさせることもあるか、もしくは、動作媒体を運ぶラインの閉塞を生じさせることもある。
【０００３】
従って、例えば、霜始動の危険性のための必要条件が満たされるほどまでに、環境温度が摂氏５℃よりも低い場合に、燃料電池装置および従って該燃料電池装置を有した供給装置は、供給装置が通常動作へ移行する前に、霜始動動作で始動される。
【０００４】
始動での上述の形式の供給装置の場合には、霜始動条件の検出のための周知の解決策は、ＤＣ／ＤＣコンバータ（電圧コンバータまたはインバータ）を介して副電流ネットワークに常に接続された主電流ネットワークを提供する。ここで、ＤＣ／ＤＣコンバータは、インピーダンス分光学機能を有しており、これにより、燃料電池装置内および従って燃料電池スタック内の含水量が決定されることができる。インピーダンス計測によって、特にインピーダンス分光学によって、個々の燃料セル内の膜抵抗、反応物の質量輸送、電荷移動抵抗および二重層キャパシタンスに関する結論が引き出されることができる。
【０００５】
しかし、電圧コンバータの使用により、供給装置のために設けられなければならない重量および設置空間の増加が生じる。
【発明の概要】
【発明が解決しようとする課題】
【０００６】
従って、本発明の目的は、少なくとも１つの負荷に電力を供給する供給装置を規定することであり、供給装置は、最も簡潔な可能な設計を有し、同時に、燃料電池装置の状態についての可能な信頼のある情報を形成する。
【０００７】
本発明の他の目的は、供給装置を有した燃料電池車両および上記供給装置を始動する方法を規定することであり、供給装置を用いて、または該供給装置では、霜始動条件の存在が簡潔な様式で検出されることができる。
【課題を解決するための手段】
【０００８】
供給装置に関する目的は、請求項１の特徴部の組み合わせを有した供給装置によって達成される。本発明の有利な発展を有した有利な実施形態が、従属請求項において規定される。ここで、特に、燃料電池装置のオフロード電圧が、多くともバッテリの最大電圧に対応しており、主電流ネットワークには、燃料電池装置または該燃料電池装置の個々の燃料セルのインピーダンス分光学計測を実行するように設計されたインピーダンス分光学装置がある。
【０００９】
従って、次に、インピーダンス分光学装置が、燃料電池装置を確認し、燃料セルまたはその構成要素において、霜始動のための条件が存在するかを決定するために使用される。例えば、次に、霜始動条件が検出された場合に、加熱構成要素が燃料電池装置を加熱するために作動されることができ、これにより、氷によって閉塞された部分が再びアクセス可能となる。代替的に、反応物の質量流量が、セルまたは反応物空間のすすぎを生じさせるため、およびいかなる閉塞を外すために増加されることもできる。さらに、燃料電池装置がより低い電圧で動作されることが考慮される。燃料電池装置の低い電圧のために、グラムＨ2（ｇｒａｍ  Ｈ2）につき、より多くの熱が個々の燃料セルによって生成され、このため、燃料電池装置が自動的に加熱され、氷が溶解される。
【００１０】
インピーダンス分光学装置が、主電流ネットワークおよび／または副電流ネットワークで用いられるＤＣ／ＤＣコンバータによる制限を受けることなく、特に、燃料電池装置の要求のために設計されることができる。さらに、インピーダンス分光学装置は、ＤＣ／ＤＣコンバータの使用よりも費用対効果が大きい変換を提供し、これにより、簡素化された設計を有した供給装置の簡潔なモジュールを提供することができる。
【００１１】
本発明の文脈の中で、例えば、駆動ユニットを有した駆動装置が、負荷として適格である。駆動装置が副電流ネットワークに電気的に接続されている場合には、駆動装置は、燃料電池車両を駆動するように、つまり燃料電池車両を駆動する駆動トルクを供給するために使用されることができる。この目的のために、駆動装置は、電気機械として設計された少なくとも１つの駆動ユニットを有し、主電流ネットワークおよび／または副電流ネットワークを介して電気エネルギが供給されることができる。自然に、駆動装置は、ハイブリッド駆動装置として、および、駆動装置が、駆動ユニットに加えて、該駆動ユニットとは異なる形式の少なくとも１つの付加的な駆動ユニットを備えることができるほどまでに設計されることができる。付加的な駆動ユニットは、例えば、内燃機関等として存在する。
【００１２】
主電流ネットワークおよび副電流ネットワークは、燃料電池車両の搭載されたネットワークを形成するか、または該搭載されたネットワークの領域を少なくとも示すことが好ましい。主電流ネットワークでは、燃料電池装置の形態での第１電流源が設けられ、副電流ネットワークでは、バッテリの形態での第２電流源が設けられている。燃料電池装置は、単一の燃料セルの形式で、または代替的に複数の燃料セルを有した燃料電池スタックとして存在することができる。燃料電池装置は、搭載されたネットワークに電気エネルギを信頼性をもって供給するように用いられる。また、バッテリは、搭載されたネットワークに電気エネルギを信頼性をもって供給するように、およびエネルギ、特に燃料電池装置によって供給されるエネルギを中間貯蔵するように用いられる。
【００１３】
負荷、従って電気機械は、燃料電池車両の駆動動作中に、副電流ネットワークに電気的に接続され、好ましくは、バッテリに永久に電気的に接続される。副電流ネットワークへの駆動ユニットの形式での負荷の接続は、例えば、インバータ、特にパルス幅変調インバータを介して実施されることができる。
【００１４】
本発明の文脈の中で、インピーダンス分光学装置が燃料電池装置の電流コレクタ上で異なる周波数の交流を伝えるように設計される場合に有利であることが分かる。上記交流を用いて、インピーダンス、つまり交流電圧抵抗を決定することができる。インピーダンスが通常値からずれるときには、インピーダンスは、霜始動条件が存在するというフィードバック情報を提供する。
【００１５】
現在までは、燃料電池装置のインピーダンスを決定するために、ＤＣ／ＤＣコンバータによって、燃料電池装置の電流コレクタ上で上記交流を伝えることが可能であった。しかし、本発明の場合には、電圧コンバータ無しで済ますことが好ましいので、インピーダンス分光学装置が、燃料電池装置のインピーダンスを計測または決定することができるために用いられ、この機能は、供給装置のコンバータ無しの設計の場合に維持される。
【００１６】
インピーダンス分光学装置が、自身で燃料電池装置５の電流および／または電圧を計測するように、好ましくは、燃料電池装置の一時的な経路を描くように設計されるという可能性が存在する。このように、インピーダンス分光学装置は、燃料電池装置の動作状態についての信頼性のある情報を提供する計測システムを形成する。燃料電池装置に対するエージング効果は、時間に対する計測曲線が描かれる場合に検出されることができる。
【００１７】
好ましくは、主電流ネットワークは、第１主電流ネットワーク接続部および第２主電流ネットワーク接続部を備え、一端で、インピーダンス分光学装置は、第１主電流ネットワーク接続部に接続され、他端で、インピーダンス分光学装置は、第２主電流ネットワーク接続部に接続される。さらに、副電流ネットワークは、第１副電流ネットワーク接続部および第２副電流ネットワーク接続部を備え、第１主電流ネットワーク接続部および第１副電流ネットワーク接続部は、阻止ダイオードを介して接続され、第２主電流ネットワーク接続部および第２副電流ネットワーク接続部は、互いに直接接続される。従って、この程度まで、同じ電位が、第２主電流ネットワーク接続部および第２副電流ネットワーク接続部に存在する。他方では、第１主電流ネットワーク接続部および第１副電流ネットワーク接続部は、阻止ダイオードを介して間接的に接続されるのみである。燃料電池装置およびバッテリは互いに調整され、供給装置の非常に効率的な動作を可能にし、該供給装置は、電圧コンバータ無しで済ましてあるので、非常に簡潔で費用対効果の大きい設計によってさらに特徴づけられる。従って、この点について、主電流ネットワークが電圧コンバータ無しで副電流ネットワークに接続される場合に有利であることが分かる。
【００１８】
好ましくは、阻止ダイオードの順電流が、主電流ネットワークから副電流ネットワークへ向かう方向にある。従って、主電流ネットワークにおける十分に高い電圧の場合には、電気エネルギが、主電流ネットワークから副電流ネットワークに到達する。対照的に、伝達の反対方向は、電流がバッテリから燃料電池装置へ流れないように除外される。容認できない高い電圧が主電流ネットワークへ印加されることが防止される。
【００１９】
本発明の発展は、バッテリが一定の数のバッテリセルを有し、および／または燃料電池装置が一定の数の燃料セルを有し、バッテリセルの数および／または燃料セルの数は、燃料電池装置のオフロード電圧が前記バッテリの最大電圧に対応するように選択されることを提供する。しかし、燃料電池装置のオフロード電圧がバッテリの最大電圧の少なくとも８５％、好ましくは最大電圧の９０％、さらに好ましくは最大電圧の９５％に実質的に対応することが好ましい。この構成によって、燃料電池装置およびバッテリの電圧電流特性曲線の調整が、即ちバッテリセルの数および／または燃料電池装置の燃料セルの数を経由して生じることができる。代替的または付加的に、例えば異なる公称電圧を有した異なる形式のバッテリセルが、燃料電池装置の特性曲線に対するバッテリの特性曲線の調整のために使用されることができる。
【００２０】
さらに、動作電流強さ範囲を適切に選択することによって、および／または、バッテリセルの数および設計および／または燃料セルの数および設計またはバッテリセルの形式の数および設計を再び選択することによって、燃料電池装置によって提供される燃料電池電圧が、作電流強さ範囲にわたって、バッテリの最小電圧よりも大きくなる。この程度までの燃料電池装置およびバッテリの互いの調整は、燃料電池装置およびバッテリの設計において容易に実施される計測だけによって生じる。
【００２１】
さらに、クロック様式で動作されることができる電力半導体スイッチとしてインピーダンス分光学装置が設計される場合に有利であることが分かる。これにより、好ましくは異なる周波数の交流が燃料電池装置上で伝達されることができる。ＭＯＳＦＥＴ（酸化金属半導体電界効果トランジスタ）が、短い切り換え時間を有する、動作上で特に信頼性があり、かつ長寿命の電力半導体スイッチであることが証明されてきた。
【００２２】
燃料電池車両に関する目的が、請求項９の特徴部の組み合わせを有した燃料電池車両を用いて達成される。上記燃料電池車両における電力供給装置の使用により、全体の重量がより小さくなり、設置空間およびコストに関する節約が達成される。
【００２３】
方法に関する目的は、請求項１０の特徴部の組み合わせを有した方法によって達成され、この方法は、以下のステップ、
ａ．インピーダンス分光学装置（１５）によって燃料電池装置（５）の電流コレクタ上で交流を伝えることと、
ｂ．応答信号を取得し、該応答信号を所定の信号値と比較することと、
ｃ１．所定の信号値からの応答信号の偏差が少なくとも所定値に達したことを検出した場合に、霜始動動作で供給装置を始動すること、または、
ｃ２．所定の信号値からの応答信号の偏差が所定値よりも小さくなったことを検出した場合に、通常動作で供給装置を始動することと、
によって特に特徴づけられる。
【００２４】
従って、霜始動条件のための条件の検出は、燃料電池装置についてのインピーダンス計測によって、特に電気化学インピーダンス分光学によって実施される。この目的のために、特に簡潔な設計の供給装置が用いられる。信号として、例えば電圧信号または電流信号を考慮することができる。また、インピーダンス、つまり燃料電池装置または該燃料電池装置の個々の燃料セルの交流電流電圧抵抗を直接決定する可能性が切り開かれる。本発明の付加的な利点、特徴および詳細は請求項および好ましい実施形態の以下の説明から、および図面を参照して生じる。
【図面の簡単な説明】
【００２５】
【図１】燃料電池車両を駆動する駆動ユニットを有した駆動装置の形式で少なくとも１つの負荷に電力を供給する供給装置を示した概略図である。
【発明を実施するための形態】
【００２６】
図１には、第１負荷２および第２負荷３に電力を供給する供給装置１の概略図が示されている。本発明の供給装置１は、好ましくは、図示せぬ付加的な負荷に電気エネルギを供給することもできる。
【００２７】
供給装置１は、主電流ネットワーク４を備えており、該主電流ネットワーク４には、燃料電池装置５がある。さらに、供給装置１は、副電流ネットワーク６を備えており、副電流ネットワーク６には、動作電圧範囲を有したバッテリ７があり、上記動作電圧範囲は、最大電圧によって上限が制限され、最小電圧によって下限が制限されている。さらに、バッテリ７は、動作電流強さ範囲を有しており、該動作電流強さ範囲は、最小電流強さによって下限が制限されており、最大電流強さによって上限が制限されている。バッテリ７は、負荷２，３に通電するように設計される。
【００２８】
負荷２は、電気機械の形式で存在する駆動ユニット８を備えている。この電気機械は、一般に、三相交流電流によって動作されることができ、電気機械は、燃料電池車両用の主電動機として設計されることが好ましい。主電流ネットワーク４および副電流ネットワーク６が高電圧および直流を供給するので、直流を三相交流電流へ変換するインバータ９が負荷２と付加的に関連している。負荷２の発展では、駆動ユニット８は、発電機として用いられることもでき、このため、例えば、制動プロセス中に、駆動ユニット８によって生成されたエネルギは、インバータ９を介してバッテリ７へ再び供給されることができる。
【００２９】
また、負荷３は、主電流ネットワーク４および副電流ネットワーク６から構成される、実装されたネットワークに接続されることができる。負荷３として、例えば、燃料電池装置５、充電装置、１２ＶＤＣ−ＤＣコンバータ、高電圧ヒータ、電気空調圧縮機等の第２ユニットを考慮することができる。
【００３０】
図１から取得することができるように、主電流ネットワーク４は、コンバータまたは電圧コンバータなしで、副電流ネットワーク６に接続されている。燃料電池装置５は、第１主電流ネットワーク接続部１０および第２主電流ネットワーク接続部１１を備えている。副電流ネットワーク６のバッテリ７は、第１副電流ネットワーク接続部１２および第２副電流ネットワーク接続部１３をそれ相応に備えている。第１主電流ネットワーク接続部１０は、阻止ダイオード１４を介して第１副電流ネットワーク接続部１２に接続されている。阻止ダイオード１４の順電流は、主電流ネットワーク４から副電流ネットワーク６への方向にある。他方では、第２主電流ネットワーク接続部１１は、第２副電流ネットワーク接続部１３に直接に電気的に接続されている。
【００３１】
さらに、主電流ネットワーク４には、燃料電池装置５のインピーダンス分光学計測を実行するように設計されたインピーダンス分光学装置１５がある。この場合には、インピーダンス分光学装置１５は、燃料電池装置５と並列に接続されており、燃料電池装置５の電流コレクタ上で異なる周波数の交流を伝えるように設計される。代替的または付加的に、インピーダンス分光学装置１５は、燃料電池装置５の電流および／または電圧を計測するように、好ましくは、燃料電池装置５の一時的な経路を描くように設計される。好ましくは、インピーダンス分光学装置１５は、一端で第１主電流ネットワーク接続部１０に電気的に接続され、他端で第２主電流ネットワーク接続部１１に電気的に接続される。ここでは、双方が直接接続部であり、このため、特に、阻止ダイオード１４がインピーダンス分光学装置１５に影響を及ぼさない。インピーダンス分光学装置１５は、クロック様式で動作されることができる電力半導体スイッチ、特にＭＯＳＦＥＴとして形成されることができる。
【００３２】
霜始動条件の検出のために、ＭＯＳＦＥＴは、このように形成されたインピーダンス分光学装置１５が燃料電池装置の電流コレクタ上で交流を伝えるようにクロック様式で動作される。そして、応答信号が取得され、所定の信号値と比較される。所定の信号値からの応答信号の偏差が検出された場合には、これは、霜状況の存在の兆候を示すことができる。しかし、僅かな偏差が受け入れられることができ、このため、偏差範囲が規定される。従って、所定値による偏差は、通常の動作での供給装置１の始動を依然として導く。しかし、所定の偏差範囲外であり、かつ所定の偏差値よりも大きい偏差が検出された場合には、供給装置１は、霜始動動作で動作または始動される。
【００３３】
このような設計では、供給装置１の非常に効率的な動作を確実にすることができる。従って、同様のことが、上記供給装置１によって電気エネルギが供給される駆動装置に従って当て嵌められる。さらに、供給装置１は、該供給装置１が燃料電池車両で用いられるときに設置空間およびコストに関する利点が達成されるように、非常に簡潔に実施されることができる。
【符号の説明】
【００３４】
１  供給装置
２  負荷
３  （第２）負荷
４  主電流ネットワーク
５  燃料電池装置
６  副電流ネットワーク
７  バッテリ
８  駆動ユニット
９  インバータ
１０  第１主電流ネットワーク接続部
１１  第２主電流ネットワーク接続部
１２  第１副電流ネットワーク接続部
１３  第２副電流ネットワーク接続部
１４  阻止ダイオード
１５  インピーダンス分光学装置
【図１】
2021526709.tif 000003
【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
少なくとも１つの負荷（２，３）に電力を供給する供給装置（１）であって、
燃料電池装置（５）があり、第１主電流ネットワーク接続部（１１）および第２主電流ネットワーク接続部（１２）を備えた主電流ネットワーク（４）と、バッテリ（７）があり、第１副電流ネットワーク接続部（１２）および第２副電流ネットワーク接続部（１３）を備えた副電流ネットワーク（６）とを備え、前記バッテリ（７）は、最大電圧によって上限が制限され、最小電圧によって下限が制限される動作電圧範囲を有し、前記バッテリ（７）は、前記少なくとも１つの負荷（２，３）に通電する動作電流強さ範囲を有し、前記第１主電流ネットワーク接続部（１０）および前記第１副電流ネットワーク接続部（１２）は、阻止ダイオード（１４）を介して互いに接続され、前記第２主電流ネットワーク接続部（１２）および前記第２副電流ネットワーク接続部（１３）は、互いに直接接続され、前記主電流ネットワーク（４）は、電圧コンバータなしで前記副電流ネットワーク（１３）に接続され、
前記燃料電池装置（５）のオフロード電圧は、多くとも前記バッテリ（７）の前記最大電圧に対応し、
前記主電流ネットワーク（４）には、霜始動条件を確認するために、前記燃料電池装置（５）または前記燃料電池装置（５）の個々の燃料セルのインピーダンス分光学計測を実行するように設計されたインピーダンス分光学装置（１５）があり、一端で、前記インピーダンス分光学装置（１５）は、前記第１主電流ネットワーク接続部（１１）に接続され、他端で、前記インピーダンス分光学装置（１５）は、前記第２主電流ネットワーク接続部（１２）に接続されることを特徴とする供給装置（１）。
【請求項２】
前記インピーダンス分光学装置（１５）は、前記燃料電池装置（５）の電流コネクタ上で異なる周波数の交流を伝えるように設計されることを特徴とする請求項１に記載の供給装置（１）。
【請求項３】
前記インピーダンス分光学装置（１５）は、前記燃料電池装置（５）の電流および／または電圧を計測するように設計されることを特徴とする請求項１または２に記載の供給装置（１）。
【請求項４】
前記バッテリ（７）は一定の数のバッテリセルを有し、および／または前記燃料電池装置（５）は一定の数の燃料セルを有し、前記バッテリセルの数および／または前記燃料セルの数は、前記燃料電池装置（５）の前記オフロード電圧が前記バッテリ（７）の前記最大電圧に対応するように選択されることを特徴とする請求項１〜３のいずれかに記載の供給装置（１）。
【請求項５】
前記インピーダンス分光学装置（１５）は、クロック様式で動作されることができる電力半導体スイッチとして設計されることを特徴とする請求項１〜４のいずれかに記載の供給装置（１）。
【請求項６】
前記クロック様式で動作されることができる前記電力半導体スイッチは、ＭＯＳＦＥＴであることを特徴とする請求項５に記載の供給装置（１）。
【請求項７】
請求項１〜６のいずれかに従う供給装置（１）を備えた燃料電池車両。
【請求項８】
請求項１〜６のいずれかに従う供給装置（１）を始動する方法であって、
ａ．インピーダンス分光学装置（１５）によって燃料電池装置（５）の電流コレクタ上で交流を伝えることと、
ｂ．応答信号を取得し、該応答信号を所定の信号値と比較することと、
ｃ１．前記所定の信号値からの前記応答信号の偏差が少なくとも所定値に達したことを検出した場合に、霜始動動作で前記供給装置を始動し、前記霜始動動作では、前記燃料電池装置（５）が加熱される、もしくは反応物の質量流量が増加される、または、
ｃ２．前記所定の信号値からの前記応答信号の偏差が前記所定値よりも小さくなったことを検出した場合に、通常動作で前記供給装置を始動することと、
を含む、供給装置（１）を始動する方法。
【国際調査報告】
2021526709.tif 000004
2021526709.tif 000005
2021526709.tif 000006
2021526709.tif 000007